(57)【要約】【課題】飲料容器が挿入される開口部や容器保持部の形状が如何なる形状であっても、その形状に沿って照明を施すことができる、照明付きカップホルダーを提供する。【解決手段】ＥＬフィルム８の発光面８ａから発せられた光は、導光板９の入射面９ａから導光板９の内部に入射し、反射面９ｃで反射して、射出面９ｂに至り、射出面９ｂから照明光を射出する。これにより、夜間等の低照度の環境下においてもカップホルダー１の開口部３の位置を容易に視認することができる。更に、夜間等の低照度の環境下においても、カップホルダー１の開口部３の形状を容易に視認することが可能になり、カップホルダー１の開口部３に円筒形状の飲料容器Ａも角柱形状の飲料容器Ｂも確実に挿入することができる。【選択図】図２
2008213612.tif 000002
【特許請求の範囲】
【請求項１】
被収納物が挿入される開口部と、前記開口部に挿入された被収納物の側面を支持可能な収納部側壁と、平面状の発光面を有し、かつ、前記発光面が前記収納部側壁と交差する方向に延びるように配置された、光源と、前記発光面の射出光を前記開口部又は前記収納部側壁付近に照射させる導光手段とを有することを特徴とする、照明付き収納部構造。
【請求項２】
請求項１に記載の照明付き収納部構造において、前記導光手段は、透光性樹脂で形成された導光板であることを特徴とする、前記照明付き収納部構造。
【請求項３】
請求項１に記載の照明付き収納部構造において、前記導光手段は、前記発光面に付設された円錐形の反射面であることを特徴とする、前記照明付き収納部構造。
【請求項４】
請求項１乃至３のうちのいずれか一項に記載の照明付き収納部構造において、前記光源はＥＬフィルムであることを特徴とする、前記照明付き収納部構造。
【発明の詳細な説明】
【技術分野】
【０００１】
本発明は、低照度の環境下においても視認することができる照明付き収納部構造に関するものである。
【背景技術】
【０００２】
特開２００５−３２９７５３号公報は、カップホルダーの上面開口部の開口周りに沿って、薄膜状又は短冊状のエレクトロ・ルミネッセンス材料からなる光源を配置し、飲物容器が挿入される上面開口部ないしその近傍位置を照明する、カップホルダーを開示する。また、特開２００５−０１４６５５号公報は、飲料容器の支持部の内壁部を帯状のＥＬ（エレクトロ・ルミネッセンス）ランプを使用して発光させる、自動車用のカップホルダー装置を開示する。薄膜状、短冊状又は帯状のエレクトロ・ルミネッセンス材料の発光面は、ＬＥＤやバルブ等の点光源と異なり、発光面全体が均一に発光するから、カップホルダーの照射部全体をムラなく照明することができる。
【特許文献１】特開２００５−３２９７５３号公報
【特許文献２】特開２００５−０１４６５５号公報
【発明の開示】
【発明が解決しようとする課題】
【０００３】
前述の薄膜状、短冊状又は帯状のエレクトロ・ルミネッセンス材料は、いずれも、その発光面がカップホルダーに挿入された飲料容器の側面に対向するように、全体として円筒状に曲成されている。しかしながら、紙パックのような角柱形状の飲料容器その他の被収納物をカップホルダーに保持させるため、通常の円形の開口部を有する収容部に加えて、方形の開口部を有する収容部を形成する場合がある。方形の開口部は、円形の開口部の円周部に三角形の切込み部を形成することにより構成される。したがって、従来の円筒状又は円環状の光源によっては、三角形の切込み部を有する開口部を、その形状に沿って照明することはできない。
【０００４】
また、従来の薄膜状、短冊状又は帯状の光源の発光面は、カップホルダーの開口部に挿入された飲料容器の側面に対して、ほぼ平行に配置されている。したがって、発光面の照度を増加させるためには、飲料容器の側面に沿って発光面を延長する必要がある。光源の発光面をこのように延長すると、カップホルダーの厚さが増加するから、カップホルダーの薄型化が困難になる場合がある。
【０００５】
本発明の目的は、被収納物が挿入される開口部や、この開口部に挿入された被収納物の側面を支持可能な収納部側壁が、如何なる形状を有していても、その形状に沿って照明することができる、照明付き収容部構造を提供することにある。
【０００６】
本発明の他の目的は、収容部構造の厚さを増加させることなく、光源の射出光によって照射される部分（以下、照射部という。）の照度を増加させることができる、照明付き収容部構造を提供することにある。
【０００７】
本発明の更に他の目的は、光源の発光面の面積とは無関係に、照射部の面積を設定することができる、照明付き収容部構造を提供することにある。
【０００８】
本発明の更に他の目的は、照射部の面積とは無関係に、照射部の光度を設定することができる、照明付き収容部構造を提供することにある。
【課題を解決するための手段】
【０００９】
本発明の照明付き収納部構造は、被収納物が挿入される開口部と、前記開口部に挿入された被収納物の側面を支持可能な収納部側壁と、平面状の発光面を有し、かつ、前記発光面が前記収納部側壁と交差する方向に延びるように配置された、光源と、前記発光面の射出光を前記開口部又は前記収納部側壁付近に照射させる導光手段とを有することを特徴とする。
【００１０】
本発明の照明付き収納部構造は、光源の平面状の発光面が延びる方向と、被収容物が開口部に挿入される方向とが直交するように、光源を配置することができる。本発明の照明付き収納部構造は、また、光源の平面状の発光面が延びる方向と、収容物が開口部に挿入される方向とが、任意の或る角度をなすように、光源を配置することができる。
【００１１】
本発明の照明付き収納部構造は、また、光源の発光面の射出光を導光手段によって照明箇所まで伝播させる。この導光手段は、透光性樹脂で形成された導光板によって構成することができる。この導光手段として、透光性樹脂で形成された導光板の代わりに、或いは、透光性樹脂で形成された導光板と共に、発光面に付設された反射面を用いることもできる。この反射面は円錐形の反射面によって構成することができる。
【００１２】
本発明の照明付き収納部構造には、光源としてエレクトロ・ルミネッセンス・フィルム（ＥＬフィルム）を用いることができる。ＥＬフィルムは、平板状の発光面を提供する。光源は、収納部側壁をその全周にわたって照明するように、環状又はドーナッツ状の形態を有することができる。光源は、また、収納部側壁の一部を照明するように、半月状の形態を有することもできる。
【発明の効果】
【００１３】
本発明の照明付き収納部構造は、光源の射出光を透光性樹脂で形成された導光板によって照射部まで伝播させることができるから、導光板の照射部側の端部を被収容物が挿入される開口部や収納部側壁の形状に合わせて自由に加工することができる。したがって、被収納物が挿入される開口部や収納部側壁が、円柱形状の被収納物を挿入するための円形の開口部に加えて、牛乳パック等の角柱形状の被収容物を挿入するための方形の開口部を有する場合であっても、角柱形状の被収容物を挿入するための三角形の切込み部を含めて、開口部の形状及び収納部側壁の形状に合った照明を施すことができる。
【００１４】
本発明の照明付き収納部構造は、光源の射出光を光源の発光面に付設された円錐形の反射面で反射させ、この反射光によって、被収納物が挿入される開口部や収納部側壁を照明することができるから、この開口部や収納部側壁が如何なる形状を有していても、それらの形状を均一に照明することができる。
【００１５】
本発明の照明付き収納部構造は、光源の平面状の発光面が収納部側壁に対して直角に交差するように、又は、任意の或る角度を以て交差するように、配置されているから、発光面の面積を増加させても収納部構造の厚さの増加を抑えることができる。したがって、十分に高い照度の照射部を有する薄型の収納部構造を実現することができる。
【００１６】
本発明の照明付き収納部構造において、光源からの照射光を透光性樹脂材等で構成した導光板によって照射部に照射する場合には、導光板の照射部側の端面の面積を光源の発光面の面積とは無関係に設定することができる。したがって、照射部の幅を小さくしても、所定の光度を得ることができる。
【００１７】
以下、本発明の照明付き収納部構造の実施例を自動車の内装部品としてのカップホルダーを例に取って説明するが、本発明の照明付き収納部構造はカップホルダーに限定されない。
本発明の照明付き収納部構造のその他の構成及び作用効果は、図面を参照してなされる以下の実施例の説明から明らかになる。
【実施例１】
【００１８】
図１及び２は、本発明の第１実施例のカップホルダーを示す。カップホルダー１は、自動車の車室に設置されるコンソール等（図示せず。）の上部に設けられるカップホルダーを示し、カップホルダー１のパネル部材２には、飲料容器が挿入される一対の開口部３、３が形成されている。パネル部材２の上面２ａには、車室の内装に合わせて、適当な意匠が施される。パネル部材２の下面２ｂには、開口部３、３をそれぞれ囲繞するように、環状壁２ｃが突出して形成されている。そして、パネル部材２の下面２ｂには、パネル部材２の開口部３、３にそれぞれ対応する位置に、飲料容器を保持するためのホルダー部材４が取り付けられる。
【００１９】
図２に示すように、ホルダー部材４は飲料容器を収容する凹部５を有し、凹部５は底壁６と側壁７とによって画成される。凹部５の開口部５ａは、側壁７の上端部７ａによって画成され、パネル部材２の開口部３に整合する。側壁７の外面にはフランジ部７ｂが突出して形成され、フランジ部７ｂは凹部５の底壁６に対して平行に延在する。光源を構成するＥＬフィルム８は、全体として円環状又はドーナツ状を成し、その中央開口部を側壁７の上端部７ａに嵌合させて、フランジ部７ｂの上面に載置される。ＥＬフィルム８は、その発光面８ａを上面とし、その非発光面８ｂを下面として、フランジ部７ｂに取り付けられる。
【００２０】
パネル部材２の開口部３は、パネル部材２の上面２ａと下面２ｂの間に延在する開口部内壁２ｄによって画成され、開口部内壁２ｄの下端部には環状突起２ｅが形成されている。環状突起２ｅには導光板９が嵌合する。導光板９は、透光性合成樹脂材料によって、全体として環状又はドーナツ状に形成され、導光板９には、ＥＬフィルム８の発光面８ａからの光が入射する入射面９ａと、入射面９ａから入射した光を射出する射出面９ｂとが形成される。パネル部材２とホルダー部材４を一体化するには、図２に示すように、パネル部材２の環状突起２ｅに導光板９を嵌合させ、この導光板９に対して、ホルダー部材４の側壁７の上端部７ａを当接させる。ホルダー部材４のフランジ部７ｂと導光板９の間にはＥＬフィルム８を挟み、この状態で、フランジ部７ｂの外縁部をパネル部材２の環状壁２ｃに固定する。このとき、光源を構成するＥＬフィルム８の発光面８ａは、導光板９の入射面９ａに密着する。
【００２１】
カップホルダー１は、図１に示すように、ペットボトルや紙コップ等の円筒形状の飲料容器Ａのみでなく、牛乳パック等の角柱形状の飲料容器Ｂも保持することができる。カップホルダー１は、円筒形状の飲料容器Ａを開口部３に挿入可能にするため、パネル部材２の開口部３を画成する開口部側壁２ｄと、導光板９の射出面９ｂと、ホルダー部材４の側壁７とによって構成される、円筒状の収納部側壁Ｃを有する。また、カップホルダー1は、角柱形状の飲料容器Ｂを開口部３に挿入可能にするため、溝状の収納部側壁Ｄを有する。溝状の収納部側壁Ｄは、円筒状の収納部側壁Ｃに形成された三角形断面を有する溝からなる。溝状の収納部側壁Ｄは、パネル部材２の開口部３を画成する開口部側壁２ｄと、導光板９の射出面９ｂと、ホルダー部材４の側壁７とにわたって、連続的に延在する。開口部３から挿入された円筒形状の飲料容器Ａは、円筒状の収納部側壁Ｃによって、その側面を支持される。開口部３から挿入された角柱形状の飲料容器Ｂは、溝状の収納部側壁Ｄによって、その側面を支持される。
【００２２】
本発明の第１実施例のカップホルダーにおいて、光源を構成するＥＬフィルム８に通電すると、その発光面８ａが発光し、発光面８ａから発せられた光は導光板９の入射面９ａから導光板９の内部に入射する。導光板９に入射した光は反射面９ｃで反射して射出面９ｂに至り、射出面９ｂから照明光を射出する。これにより、夜間等の低照度の環境下においてもカップホルダー１の開口部３の位置を容易に視認することができる。更に、導光板９の射出面９ｂは、円筒状の収納部側壁Ｃを形成する湾曲部分と、溝状の収納部側壁Ｄを形成する三角形状の切込み部分とを有し、照明光はこの湾曲部分と三角形状の切込み部分とからそれぞれ射出するから、この照明光によってカップホルダー１の開口部３の形状が示される。したがって、夜間等の低照度の環境下においても、カップホルダー１の開口部３の形状を容易に視認することが可能になり、カップホルダー１の開口部３に円筒形状の飲料容器Ａも角柱形状の飲料容器Ｂも確実に挿入することができる。
【００２３】
導光板９の射出面９ｂの光度は、ＥＬフィルム８の発光面８ａの面積によって定まるから、導光板９の射出面９ｂの上下方向の幅を小さい幅に設定しても、射出面９ｂの光度が低下することはない。すなわち、図示の円盤状のＥＬフィルム８の発光面８ａの面積は、必要とされる照度に応じて、発光面８ａの幅を半径方向に拡大又は縮小することにより設定することが可能であるが、導光板９の射出面９ｂの面積は、ＥＬフィルム８の発光面８ａの面積とは無関係に設定することができる。
【００２４】
図３は、図１の変更態様を示すカップホルダーの断面図である。図３のカップホルダー１０の特徴は、パネル部材２の上面２ａを傾斜させ、容器挿入用の開口部３を傾斜させたことに伴って、導光板９の射出面９ｂを傾斜させて配置したことにある。これにより、射出面９ｂから射出される照明光は、開口部３から挿入される容器の挿入方向に対して斜めに照射されるから、照明デザインを異ならせることができる。図３のカップホルダー１０のその他の構成は、図１及び２のカップホルダー１と同様であり、図３中、図１及び２に使用した参照番号と同一の番号は同一名称の構成部材を示す。
【００２５】
なお、上記第１実施例の変更態様として、図1乃至３に示した導光板９を省略することができる。すなわち、導光板９を省略すると、図２又は３において、ＥＬフィルム８の発光面８ａから射出した光は、パネル部材２の下面２ｂと、この下面２ｂに形成された環状壁２ｃと、ホルダー部材４のフランジ部７ｂとによって画成された、環状又はドーナツ状の空間Ｅに入射する。空間Ｅに入射した光は、パネル部材２の環状突起２ｅとホルダー部材４の側壁７の上端部７ａとの間に形成された環状開口部から、開口部内壁２ｄ及び凹部５に漏れ出し、カップホルダー１の開口部３を照明する。これにより、夜間等の低照度の環境下においてもカップホルダー１の開口部３の位置及び形状を容易に視認することができる。
【実施例２】
【００２６】
図４及び図５は、本発明の第２実施例を示す。この実施例の特徴は、格納式のカップホルダー２０に本発明を適用したことにある。図４及び５において、図１及び２に使用されている参照番号と同一の番号は、図１及び２の構成要素と同一の構成要素を示す。カップホルダー２０は、スライド式のパネル部材２１と、パネル部材２１の下方に展開するホルダー部材２２と、パネル部材２１とホルダー部材２２を収容するケーシング２３とを有する。カップホルダー２０を使用しないときには、ホルダー部材２２は、図５に示すように、パネル部材２１の下方に展開した位置２２ａからパネル部材２１に沿う位置２２ｂに折り畳まれ、パネル部材２１と共にケーシング２３に収容可能である。カップホルダー２０の使用時には、図示しないスプリング等の付勢力により、ケーシング２３からパネル部材２１とホルダー部材２２を突出させると共に、図示しないスプリング等の付勢力により、ホルダー部材２２を図５の位置２２ａに展開させる。これにより、カップホルダー２０は図４に示した使用状態となる。
【００２７】
カップホルダー２０のパネル部材２１には、図１に示したように、ペットボトルや紙コップ等の通常の円筒形状の飲料容器Ａのみでなく、牛乳パック等の角柱形状の飲料容器Ｂも保持することができるように構成された、開口部３が形成されている。パネル部材２１の上面２１ａには、車室の内装に合わせて、適当な意匠が施される。パネル部材２１の下面２１ｂには、開口部３を囲繞するように、環状壁２ｃが突出形成される。ホルダー部材２２は、図５の展開位置２２ａと格納位置２２ｂとの間で回動可能なように、パネル部材２１の下面２１ｂに図示しないヒンジ等を介して連結される。
【００２８】
パネル部材２１の開口部３は、パネル部材２１の上面２１ａと下面２１ｂの間に延在する開口部内壁２ｄによって画成され、内壁２ｄの下端部には環状突起２ｅが形成されている。環状突起２ｅには導光板９が嵌合する。パネル部材２１の環状壁２ｃには、ＥＬフィルム８を支持する蓋部材２４が固定される。蓋部材２４は、開口部内壁２ｄに整合する蓋部材内壁２４ａを有し、蓋部材内壁２４ａは蓋部材２４の中央部に形成された貫通孔を画成する。蓋部材内壁２４ａの上端部２４ｂは、この貫通孔を囲繞する環状の端面を形成し、パネル部材２１の環状突起２ｅに対向する。ＥＬフィルム８は、その発光面８ａを導光板９の入射面９ａに密着させ、非発光面８ｂを蓋部材２４に接触させている。導光板９は、透光性合成樹脂材料によって、全体として環状に形成され、入射面９ａから入射した光を射出する射出面９ｂを有する。
【００２９】
第１実施例と同様に、パネル部材２１の開口部３を画成する内壁２ｄ、導光板９の射出面９ｂ及び蓋部材２４の内壁２４ａには、円筒状の収納部側壁Ｃと溝状の収納部側壁Ｄとが形成されている。開口部３から挿入された円筒形状の飲料容器Ａ（図１参照）は、円筒状の収納部側壁Ｃによって、その側面を支持される。また、開口部３から挿入された角柱形状の飲料容器Ｂは、溝状の収納部側壁Ｄによって、その側面を支持される。これらの容器の底部は、図４に示すように、展開したホルダー部材２２によって支持される。
【００３０】
本発明の第２実施例のカップホルダー２０において、光源を構成するＥＬフィルム８に通電すると、その発光面８ａが発光し、発光面８ａから発せられた光は導光板９の入射面９ａから導光板９の内部に入射する。導光板９に入射した光は反射面９ｃで反射して射出面９ｂに至り、射出面９ｂから照明光を射出する。これにより、夜間等の低照度の環境下においてもカップホルダー２０の開口部３の位置を容易に視認することができる。更に、導光板９の射出面９ｂは、円筒状の収納部側壁Ｃを形成する湾曲部分と、溝状の収納部側壁Ｄを形成する三角形状の切込み部分とを有し、照明光はこの湾曲部分と三角形状の切込み部分とからそれぞれ射出するから、この照明光によってカップホルダー２０の開口部３の形状が示される。したがって、夜間等の低照度の環境下においても、カップホルダー１の開口部３の形状を容易に視認することが可能になり、カップホルダー２０の開口部３に円筒形状の飲料容器Ａも角柱形状の飲料容器Ｂも確実に挿入することができる。
【００３１】
なお、上記第２実施例の変更態様として、図４及び５に示した導光板９を省略することができる。すなわち、導光板９を省略すると、図５において、ＥＬフィルム８の発光面８ａから射出した光は、パネル部材２１の下面２１ｂと、この下面２１ｂに形成された環状壁２ｃと、蓋部材２４とによって画成された、環状又はドーナツ状の空間Ｅに入射する。空間Ｅに入射した光は、パネル部材２１の環状突起２ｅと蓋部材内壁２４ａの上端部２４ｂとの間に形成された環状開口部から、開口部内壁２ｄ及び蓋部材内壁２４ａに漏れ出し、カップホルダー２０の開口部３を照明する。これにより、夜間等の低照度の環境下においてもカップホルダー２０の開口部３の位置及び形状を容易に視認することができる。
【実施例３】
【００３２】
図６及び７は、本発明のカップホルダーの第３実施例を示す。この実施例のカップホルダー３０の特徴は、パネル部材２の環状壁２ｃと環状突起２ｅの間にＥＬフィルム８を配置し、ホルダー部材７１に形成した円錐状傾斜面７１ａに導光板９を支持させ、導光板９の入射面９ａをＥＬフィルム８の発光面８ａに密着させたことにある。その他の構成は、第１実施例と同様であり、図６及び７中で使用されている参照番号のうち、図１及び２中の参照番号と同一の番号は、同一機能を果たす、同一名称の構成要素を示す。
【００３３】
図６及び７に示すように、カップホルダー３０のパネル部材２には、飲料容器が挿入される一対の開口部３、３が形成されている。パネル部材２の上面２ａには、車室の内装に合わせて、適当な意匠が施される。パネル部材２の下面２ｂには、開口部３、３をそれぞれ囲繞するように、環状壁２ｃが突出して形成されている。パネル部材２の開口部３は、パネル部材２の上面２ａと下面２ｂの間に延在する開口部内壁２ｄによって画成され、開口部内壁２ｄの下端部には環状突起２ｅが形成されている。そして、環状壁２ｃと環状突起２ｅの間に環状のＥＬフィルム８が配置される。
【００３４】
ＥＬフィルム８は、その非発光面８ｂをパネル部材２に密着されて固定され、その発光面８ａには導光板９の入射面９ａが密着する。導光板９は、ホルダー部材７１に形成した円錐状傾斜面７１ａに支持され、ホルダー部材７１をパネル部材２の下面２ｂに固定することにより、ホルダー部材７１とパネル部材２の間に保持される。導光板９は、透光性合成樹脂材料によって、全体として環状に形成され、ＥＬフィルム８の発光面８ａからの光が入射する入射面９ａと、入射面９ａから入射した光を射出する射出面９ｂとを有する。射出面９ｂは、パネル部材２の開口部３の内壁２ｄに整合する。
【００３５】
ホルダー部材７１の円錐状傾斜面７１ａを光の反射面とすることができる。
【００３６】
カップホルダー３０は、本発明の第１実施例と同様に、ペットボトルや紙コップ等の通常の円筒形状の飲料容器Ａのみでなく、牛乳パック等の角柱形状の飲料容器Ｂも保持することができるように構成されている（図１参照）。カップホルダー３０は、円筒形状の飲料容器Ａを開口部３に挿入可能にするため、パネル部材２の開口部３を画成する開口部側壁２ｄ及び導光板９の射出面９ｂによって構成される、円筒状の収納部側壁Ｃを有する。カップホルダー３０は、また、角柱形状の飲料容器Ｂを開口部３に挿入可能にするため、溝状の収納部側壁Ｄを有する。溝状の収納部側壁Ｄは、円筒状の収納部側壁Ｃに形成された三角形断面を有する溝からなる。溝状の収納部側壁Ｄは、パネル部材２の開口部３を画成する開口部側壁２ｄと導光板９の射出面９ｂとにわたって連続的に延在する。開口部３から挿入された円筒形状の飲料容器Ａは、円筒状の収納部側壁Ｃによって、その側面を支持される。開口部３から挿入された角柱形状の飲料容器Ｂは、溝状の収納部側壁Ｄによって、その側面を支持される。
【００３７】
ＥＬフィルム８の発光面８ａから発せられた光は、導光板９の入射面９ａから導光板９の内部に入射し、導光板９に入射した光の一部は、導光板９とホルダー部材７１の円錐状傾斜面７１ａの境界に位置する反射面９ｃで反射して、射出面９ｂに至り、射出面９ｂから照明光を射出する。また、導光板９に入射した光の一部は、導光板９の下面９ｄを通過してホルダー部材７１の円錐状傾斜面７１ａで反射し、カップホルダー３０の開口部３を照明する。これにより、夜間等の低照度の環境下においてもカップホルダー３０の開口部３の位置を容易に視認することができる。更に、導光板９の射出面９ｂは、円筒状の収納部側壁Ｃを形成する湾曲部分と、溝状の収納部側壁Ｄを形成する三角形状の切込み部分とを有し、照明光はこの湾曲部分と三角形状の切込み部分とからそれぞれ射出するから、この照明光によってカップホルダー３０の開口部３の形状が示される。したがって、夜間等の低照度の環境下においても、カップホルダー３０の開口部３の形状を容易に視認することが可能になり、カップホルダー３０の開口部３に円筒形状の飲料容器Ａも角柱形状の飲料容器Ｂも確実に挿入することができる。
【００３８】
図８は、本発明の第３実施例のカップホルダー３０の変更態様を示す。図８に示すカップホルダー３１の特徴は、図７に示した導光板９を省略し、ホルダー部材７１の円錐状傾斜面７１ａを光の反射面として利用することにある。図８のカップホルダー３１のその他の構成は、図６及び７のカップホルダー３０と同様であり、図６乃至８中、同一の参照番号は同一の構成要素を示す。図８に示すカップホルダー３１において、ＥＬフィルム８の発光面８ａから発せられた光は、ホルダー部材７１の円錐状傾斜面７１ａで反射し、カップホルダー３０の開口部３を下方から照明する。このため、ＥＬフィルム８の円盤状の発光面８ａが発する光を間接照明のように利用して、開口部３を目視することができる。また、カップホルダー３１には透光性樹脂製の導光板が存在しないから、飲み物等により導光板が汚染されて導光板の透光性が低下し、あるいは、この汚染を清掃することによって導光板が劣化して導光板の透光性が低下することがない。よって、図８のカップホルダー３１によれば、カップホルダーの使用に伴う商品性の低下を防止することができる。
【産業上の利用可能性】
【００３９】
上記実施例は、自動車等の車両の内装部品としてのカップホルダーについて本発明を説明したが、本発明の照明付き収納部構造は、飲料容器や携帯音楽プレーヤー等の、種々の形態を有する、種々の物品の収容部構造として利用することができる。また、本発明の照明付き収納部構造は、自動車等の車両の内装設備としてのカップホルダーや、車内に設けられるコンソールボックス等の種々の収納部に適用することができるばかりでなく、冷蔵庫等の家電製品の収納部や、建築物のインテリアとして使用される種々の物品の収納部にも利用することができる。
【図面の簡単な説明】
【００４０】
【図１】本発明の第１実施例のカップホルダーの斜視図である。
【図２】図１のII-II線に沿う断面図である。
【図３】本発明の第１実施例の変更態様を表す断面図である。
【図４】本発明の第２実施例のカップホルダーの斜視図である。
【図５】図４のＶ−Ｖ線に沿う断面図である。
【図６】本発明の第３実施例のカップホルダーの斜視図である。
【図７】図６のVII-VII線に沿う断面図である。
【図８】本発明の第３実施例の変更態様を表す断面図である。
【符号の説明】
【００４１】
１    カップホルダー
３    開口部
４    ホルダー部材
８    ＥＬフィルム
９    導光板
９ａ  入射面
９ｂ  射出面（射出部）
９ｃ  反射面
Ｃ  円筒状の収納部側壁
Ｄ  溝状の収納部側壁
【図１】
2008213612.tif 000003
【図２】
2008213612.tif 000004
【図３】
2008213612.tif 000005
【図４】
2008213612.tif 000006
【図５】
2008213612.tif 000007
【図６】
2008213612.tif 000008
【図７】
2008213612.tif 000009
【図８】
2008213612.tif 000010